(57)【要約】カラー表示管（１）用の電子銃（１０）の製造方法について記述する。電子銃（１０）に、アノード電極（２１ａ）と心出しカップ（２３）との間に位置する追加的電極（４４）を設ける。この追加的電極（４４）は、電子銃（１０）のビード加工した部分（２９）の一部であり、このことは、この追加的電極（４４）を、主フォーカス部（２１）までの距離並びに回転角に関して正確に位置決めすることを可能にする。この追加的電極（４４）を主フォーカス部（２１）の必須の部分と考えれば、上記のことにより、この追加的電極（４４）を用いて主フォーカス部（２１）の品質を改善することが可能になる。この理由により、この追加的電極を主レンズフィールド修正器（ＭＦＭ）（４４）と称する。ＭＦＭ（４４）の開口部（５２）、（５３）の垂直寸法、あるいはＭＦＭ（４４）と主フォーカス部（２１）との間隔を変化させることによって、球面収差についての有効レンズ径を増加させつつ、倍率についての有効レンズ径を一定に保つことが可能であることが示されている。換言すれば、電子銃（１０）の長さを変えずに、電子銃（１０）のスポット性能を改善する。主フォーカス部（２１）に必要な精度を、良好な公差及び挙動と共に得るという観点では、この新規の、電子銃（１０）の製造方法は非常に重要なものである。
2004515047.tif 000002
【特許請求の範囲】
【請求項１】
カラー表示管用の電子銃を製造する方法であって、多数の電極をビード加工ロッドに固着することによってビード加工して、ビーム形成部及び主フォーカス部を電子の伝播方向に見てこの順に具えたビード加工したユニットを形成し、前記主フォーカス部がフォーカス電極及びアノード電極を有して、さらなるステップにおいて心出しカップを前記アノード電極に結合する、電子銃の製造方法において、
前記主フォーカス部がさらに、前記アノード電極と前記心出しカップとの間に位置する追加的電極を具えて、該追加的電極を前記ビード加工したユニット内に装着することを特徴とする電子銃の製造方法。
【請求項２】
前記追加的電極をアノード電極に電気的に接続することを特徴とする請求項１に記載の電子銃の製造方法。
【請求項３】
前記追加的電極が四角形の開口部を具えていることを特徴とする請求項１または２に記載の電子銃の製造方法。
【請求項４】
開口部付き平面を有するアノード電極をさらに具えた、請求項１、２または３に記載の電子銃の製造方法において、
前記追加的追電極と前記アノード電極の前記開口部付き平面との距離を１．５ｍｍ未満にすることを特徴とする請求項１、２または３に記載の電子銃の製造方法。
【請求項５】
前記追加的電極と前記アノード電極の前記開口部付き平面との距離を０．７ｍｍにすることを特徴とする請求項４に記載の電子銃の製造方法。
【請求項６】
少なくとも１つのカソード及びビード加工したユニットを有するカラー表示管用の電子銃であって、該ビード加工したユニットが、ビーム形成部及び主フォーカス部を電子の伝播方向に見てこの順に有する多数の電極を具えて、前記主フォーカス部がフォーカス電極及びアノード電極を有し、前記電子銃がさらに、前記アノード電極に結合した心出しカップを具えた電子銃において、
前記主フォーカス部がさらに、前記アノード電極と前記心出しカップとの間に位置する追加的電極を具えて、該追加的電極を前記ビード加工したユニット内に装着したことを特徴とするカラー表示管用の電子銃。
【請求項７】
前記追加的電極を、アノード電極に電気的に接続したことを特徴とする請求項６に記載の電子銃。
【請求項８】
前記追加的電極が、四角形の開口部を具えていることを特徴とする請求項６または７に記載の電子銃。
【請求項９】
開口部付き平面を有するアノード電極をさらに具えた、請求項６、７または８に記載の電子銃において、前記追加的電極と前記アノード電極の前記開口部付き平面との距離が１．５ｍｍ未満であることを特徴とする請求項６、７または８に記載の電子銃。
【請求項１０】
前記追加的電極と前記アノード電極の前記開口部付き平面との距離が０．７ｍｍであることを特徴とする請求項９に記載の電子銃。
【請求項１１】
請求項６、７、８、９または１０のいずれかに記載の電子銃を設けたカラー表示管。
【発明の詳細な説明】
【０００１】
（技術分野）
本発明は、カラー表示管用の電子銃を製造する方法に関するものであり、ここでは、多数の電極をビード加工ロッドに固着することによってビード加工して、ビーム形成部及び主フォーカス（集束）部を電子の伝播方向に見てこの順に具えたビード加工したユニット（単位装置）を形成し、前記主フォーカス部がフォーカス電極及びアノード電極を有し、さらなるステップにおいて心出し（センタリング）カップを前記アノード電極に結合する。
【０００２】
本発明はさらに、カラー表示管用の電子銃に関するものであり、少なくとも１つのカソード及びビード加工したユニットを有し、このビード加工したユニットは、電子の伝播方向に見て、ビーム形成部及び主フォーカス部を有する多数の電極を具えて、前記主フォーカス部は、フォーカス電極及びアノード電極を有し、この電子銃はさらに、前記アノード電極に結合した心出しキャップを具えている。
【０００３】
本発明は、こうした電子銃を設けたカラー表示管にも関するものである。
【０００４】
（従来技術）
冒頭段落に記載の電子銃は、米国特許ＵＳ ４，６７８，９６４に開示されている。この特許明細書には、フィールド（視野）修正素子を設けた電子銃が記載されている。この素子を心出しカップに接続して、このサブアセンブリを溶接によって、ビーム形成部及び主フォーカス部の電極を含むビード加工したユニットに接続している。このフィールド修正素子の主な機能は、電子銃の中心ビーム及びサイド（側）ビームの非点収差を調整することである。これに加えて、このフィールド修正素子は、収束（コンバーゼンス）の修正を実行するために用いることができる。
【０００５】
ＵＳ ４，６７８，９６４に開示されている電子銃は、フィールド修正素子を組み立てる製造方法が、フィールド修正素子の可能性を十分に利用するために必要な精度を欠いているという欠点を有する。通常の電子銃では、フィールド修正素子が深く入り込んだ部品であり、同じく深く入り込んだ心出しカップに溶接される。その後に、このサブアセンブリを主フォーカス部のアノード電極に、これらを溶接することによって接続する。この方法では、フィールド修正電極の主フォーカス部までの距離、及び電子銃の長軸の回りの回転角に比べて比較的大きな、フィールド修正電極の位置的な不正確さが生じる。
【０００６】
本発明の目的は、従来技術による電子銃に比べて、フィールド修正素子の位置精度を大幅に改善した電子銃を製造する方法を提供することにある。
【０００７】
（発明の開示）
本発明によれば、この目的は、前記主フォーカス部がさらに、アノード電極と前記心出しカップとの間に位置する追加的電極を具えて、この電極を前記ビード加工したユニット内に装着したことを特徴とする製造方法によって達成される。
【０００８】
本発明は、製造プロセス中に、この追加的電極を、電子銃の前記ビーム形成部及び前記主フォーカス部を構成する他の電極と同様の方法で取り扱えば、フィールド修正素子の位置精度が大幅に改善されるという認識にもとづくものである。このことは、この追加的電極が前記ビード加工したユニットの一部であることを暗に意味する。ビード加工プロセス中には、これらの電極をまとめて、開口部を貫通する心出しピン上に並べるか、あるいはこれらの電極に、これらの電極をその外周に沿って固定することを可能にする外側の基準を設けることによって、これらの電極を位置決めする。これらの電極間の間隔は、ビード加工プロセス中に、異なる電極間にスペーサを配置することによって固定し、これらのスペーサは、ビード加工ロッドによって電極を相互に固定した後に除去する。このプロセスは、異なる電極の間隔及び個々の電極の回転角に関して非常に高い精度を有する、電子銃用のビード加工したユニットを生み出す。
【０００９】
好適例では、前記追加的電極をアノード電極に電気的に接続する。
【００１０】
前記追加的電極をアノード電極に接続することによって、例えばこれら２つの電極を小さなワイヤまたはテープにより相互接続することによって、従来技術の電子銃と同様の方法で電子銃を取り付けることができ、そしてこの追加的電極を駆動するための追加的な電圧を必要としない。
【００１１】
さらなる好適例は、前記追加的電極が四角形の開口部を具えていることを特徴とする。
【００１２】
実際に、前記主フォーカス部と前記追加的電極との組み合わせを最適化すれば、前記追加的電極用の単純な構造の四角形の開口部が一般に、前記要求を十分に満たすことができることが判明している。
【００１３】
さらなる好適例では、前記アノード電極が開口部付き平面を有し、そして前記追加的電極と前記アノード電極の開口部付き平面との距離を１．５ｍｍ未満にする。
【００１４】
効果を得るためには、前記追加的電極が前記アノード電極の近傍に位置しなければならない、というのは、この電極が、前記アノード電極の開口部を貫く電界に影響を与えなければならないからである。実際に、前記アノード電極の開口部付き平面までの距離が１．５ｍｍより大きくなると、前記追加的電極が効果を失うことが判明している。
【００１５】
さらなる好適例では、前記追加的電極と前記アノード電極の開口部付き平面との距離を０．７ｍｍにする。
【００１６】
この距離は、前記主フォーカス部の背後の電界が、適切かつ効果的な方法で影響を受けることを可能にするが、より小さい距離は、前記主フォーカス部そのものの電界に変化を生じさせる。このことは、前記主フォーカス部の特性を劣化させる。
【００１７】
本発明はさらに、上述した電子銃の製造方法によって得られる特性を有する電子銃に関するものであり、そしてこうした電子銃を設けたカラー表示管に関するものである。
【００１８】
本発明のこれら及び他の要点は、以下に記述する、図面を参照した非限定的な実施例の説明より明らかになる。
【００１９】
（発明を実施するための最良の形態）
図１に示すカラー表示管１は、表示窓３を有する真空排気したガラスエンベロープ（外被）２と、漏斗形部分４と、首部５とを具えている。表示窓３の外側は、曲面にも平面にもすることができる。表示窓３の内側には、例えば赤色、緑色、及び青色のように異なる色で発光する蛍光体の例えばラインまたはドットのパターンを有するスクリーン６を配置することができる。シャドーマスク１２は、スクリーン６から少し離れて位置し、円形または長孔の開口部を有することができる。管の動作中には、首部５に配置され、ピン１３を介して外部電源に接続した電子銃１０が、電子ビーム７、８、９を、シャドーマスク１２を通してスクリーン６に送出して、これにより、これらのビームが蛍光体に当たって光を放出する。電子ビーム７、８、９は互いに対して斜めに進んで、これにより、マスクとスクリーンとの適切な距離を以って、電子ビーム７、８、９が関連する色の蛍光体のみに当たることを保証する。偏向装置１１は、電子ビーム７、８、９がスクリーン６を規則的に走査することを保証する。
【００２０】
電子銃という用語は、限定的に解釈すべきものではない。電子銃は、本発明を例示するために用いるカラー表示管における応用に限定されない。例えば本発明は、電子銃が１本の電子ビームのみを発生するモノクロ管にも応用することができる。
【００２１】
図２に、従来技術の電子銃１０の分解立体図を図式的に示す。ビーム形成部は電極２０によって形成され、主フォーカス部は電極２１によって形成される。この例では、ビーム形成部２０は３つの電極から構成されるが、これは本発明にとって重要なことではなく、他の構成も用いることができる。主フォーカス部２１は、この例では、フォーカス電極２１ｆ及びアノード電極２１ａから構成されるレンズである。ビード加工プロセス中には、ビーム形成部２０の電極と主フォーカス部２１の電極とを、ビード加工治具内に、所定の距離だけ互いに離して配置する。そしてこれらの電極を、腕木２８によってビード加工ロッド２７に接続する。腕木２８は電極の必須の部分とするか、あるいはビード加工プロセスの前に電極に結合した別個の部分とすることができる。このプロセス中には、一般的にガラス製のビード加工ロッドを加熱して、腕木２８上にプレス（加圧）する。冷却後に、電子銃１０のビード加工したユニット２９と称する部分をビード加工治具から取り外す。次のプロセスステップでは、フィールド修正素子２２及び心出しカップ２３をビード加工したユニット２９上に装着する。一般に、このフィールド修正素子２２には、平坦部分２４内に四角形の開口部、即ち電子銃１０の中心ビーム用の開口部２６及びサイド（側）ビーム用の開口部２５を設ける。このフィールド修正素子は、ＵＳ ４，６７８，９６４に記載された、電子銃の非点収差レベルを調整するために使用する。非点収差とは、主フォーカス部２１のレンズ強度の、水平方向と垂直方向との差である。主フォーカス部２１のレンズ強度は、スクリーン６上に集束（フォーカス）した電子スポットを得るために必要なフォーカス電圧として表現することができる。従って、非点収差もボルトで表現することができ、これは、水平方向に集束した電子スポットを得るのに必要なフォーカス電圧と、垂直方向に集束した電子スポットを得るのに必要なフォーカス電圧との差である。
【００２２】
フィールド修正素子２２は一般に、心出しカップ２３に溶接した、深く入り込んだ部分である。従って、このサブアセンブリは主フォーカス部２１のアノード電極２１ａ上に位置する。この構成は、生産プロセスにおける公差に対して敏感である。フィールド修正電極２２の開口部２５、２６を有する平面から主フォーカス部２１までの距離は、非常に正確ではない、というのは、この距離は、２つの深く入り込んだ部分、即ちアノード電極２１ａ及びフィールド修正電極２２によって決まるからである。さらに、フィールド修正電極２２のｚ軸の回りの回転角は、従来技術による構成によって非常に大きい公差を示す。フィールド修正電極２２は主に、従来技術の電子銃における非点収差の修正に使用するので、この状況が許容される。
【００２３】
もちろん、電子銃１０にはさらに、ビーム形成部２０に入る電子ビーム７、８、９を発生するカソードを設ける。さらに、電子銃１０には、ピン１３を含むベース（基底部）を設けて、これらのピンの何本かが、外部電源を前記電極に接続する働きをする。
【００２４】
図３Ａ及び図３Ｂにそれぞれ、従来技術による電子銃１０の側面図及び上面図を示す。この例には、複数の電極を有するビーム形成部２０を示すが、これは本発明とは無関係である。主レンズの電極２１ｆ及び２１ａが共に、開口部付き平面３２及びリム３３を有し、これは図２にも見られる。図３の電子銃は、例えばダイナミック四極型レンズのような追加的レンズ３１を、フォーカス電極２１ｆ内に具えることができるが、このことは本発明に対する結果をもたらさない。この図にはさらに、心出しキャップ２３に接続した心出しバネ３０を示し、これは、電子銃１０の軸がカラー表示管１の軸にほぼ一致する手助けをする。
【００２５】
図４Ａ及び図４Ｂにそれぞれ、本発明による電子銃１０の側面図及び上面図を示す。この電子銃１０では、主フォーカス部２１及び製造方法が変化している。この主フォーカス部２１は、図５及び図６Ａ／Ｂにより詳細に示す。主フォーカス部２１は２枚の開口部付き平板４０、４３から構成され、これらの両方にリム形部分４１、４２を設ける。リム形部分４１、４２は互いに対向して位置し、主レンズギャップ（間隙）４７によって分離されている。フォーカス電極２１ｆは開口部付き平板４０及びリム形部分４１を具え、アノード電極２１ａは開口部付き平板４３及びリム形部分４２を具えている。開口部付き平板４０、４３は、これらの電極をビード加工ロッド２７内に固定するための腕木を含む。図６Ａに示すように、平板４０、４３内の開口部５０、５１は円形、楕円形、長円形、あるいは、主レンズの要求を満たすのに必要な他のいずれの凸形にすることもでき、これは設計事項である。
【００２６】
本発明による電子銃１０では、追加的電極４４の構成が変化している。ここでは電極４４が、ビード加工プロセス用の腕木２８を設けた開口部５２、５３を有する平板である。開口部５２、５３は四角形にすることができるが、楕円形または長円形のような他の形状も可能である。心出しカップ２３は、ブラシ４５によって追加的電極４４に結合することができる。
【００２７】
電子銃１０を構成するこの方法は、前記追加的電極の、主フォーカス部２１に対する非常に正確な位置決めを可能にする。アノード電極２１ｆの開口部付き平板４３と追加的電極４４との距離４６は、ビード加工プロセス中に、これら２つの電極間にスペーサを使用して調整する。平板４４の平面、即ちｘ−ｙ平面内での電極の回転は、例えば、ビード加工プロセス中に、突起５５を用いた外側の基準系により電極を正確に固定することによって防止される。こうした電子銃製造用の外側の基準系は、ＵＳ ５，０５２，９６６及びＵＳ ５，２３５，２４１に開示されている。あるいはまた、ビード加工プロセス中に、前記開口部を貫通する心出しピンを使用することによって、これらの電極を位置決めすることができる。
【００２８】
本発明による電子銃１０の製造方法は、追加的電極４４を含めた主フォーカス電極２１の非常に正確な位置決めを可能にする。このことは、主フォーカス部２１の特性を改善するための追加的電極４４を十分に利用することを可能にし、これは、従来技術に対する大きな改善である。従来技術の電子銃における、追加的電極２２の貧弱な位置精度は、この電極の使用を、フィールド修正素子の電極に使用することに限定し、これは非点収差レベルを調整するものに過ぎない。本発明によれば、追加的電極４４が主フォーカス部２１の設計の主要部分になり、この理由により、追加的電極４４はさらに、主レンズフィールド（視野）修正器（ＭＦＭ）と称される。
【００２９】
従来は、追加的電極２２にアノード電極２１ａと同じ電圧を供給している。ＭＦＭ４４の新規の構成は、この電極に、アノード電極２１ａの電圧とは異なる電圧を供給することも可能にする。このことは、例えば電子銃１０に内部分圧器を設けることによって達成することができる。
【００３０】
本発明を利用することによって生じる可能性を示すために、主フォーカス部２１と前記追加的電極またはＭＦＭ４４との組み合わせを総合的に最適化することによって、レンズ品質を改善した電子銃１０、あるいは同じレンズ品質を有するより短い電子銃を得ることができるということを示すことができる。
【００３１】
主フォーカス部２１の品質は、主フォーカス部の有効レンズ径によって支配される。物理的なレンズ径とは別に、主レンズ電極の平板４０及び４３内の開口部の大きさ、即ち２つの有効レンズ径を計算する。第１のものは、倍率についての有効レンズ径をＤｍで示す。このレンズ径によって、主フォーカス部２１の倍率が決まり、従ってフォーカス電圧が決まる。これは、電子銃１０の長さの直接的な尺度である。第２のものは、球面収差についてのレンズ径であり、Ｄｓａで表わし、スクリーン６上の電子スポットの品質を決め、従ってカラー表示管１の解像度を決める。
【００３２】
従来技術の電子銃では、電子銃１０の長さは常に、主フォーカス部２１の品質に直結する。電子銃１０の長さを増加させることは、主フォーカス部２１の倍率を低下させ、フォーカス電圧がより高くなり、主フォーカス部２１がより弱くなり、従って球面収差が低下することになる。これにより、カラー表示管１のスポット性能がより良好になり、従って解像度がより良好になる。
【００３３】
本発明は、倍率についての有効レンズ径と球面収差についての有効レンズ径との間には常に結び付きが存在するという慣例を打破するものである。Ｄｍを一定にしてＤｓａを改善するように電子銃１０を設計可能であるか、あるいは換言すれば、同一の電子銃長かつ同一のフォーカス電圧で解像度を改善した電子銃１０が可能である、ということを示すことができる。
【００３４】
一例として、電子銃を計算してきた。この例は、主フォーカス部２１を有する電子銃１０を記述したものであり、その構造は、図５に示す主フォーカス部２１の構造に類似している。電子ビームの分離、即ち中心ビーム８とサイドビーム７、９との距離は６．５ｍｍである。この主フォーカス部２１は、ＣＦＬ ６．５と称する（６．５ｍｍのピッチ（間隔）を有する複合フィールド（視野）レンズ）。アノード電極の固定電圧３０ｋＶ及びフォーカス電極２１ｆの固定電圧８．１９ｋＶにおいて、計算を実行した。さらに、主レンズギャップ４７は１．１ｍｍに固定されている。
【００３５】
最適化手順においては、主レンズフィールド（視野）修正器４４の２つのパラメータを変化させる。第１のものは、ＭＦＭ４４とアノード電極２１ａの開口部付き平板４３との距離４６であり、ＭＦＭ４４内の開口部５２、５３は、水平方向に５．５ｍｍ、垂直方向に４．０ｍｍに固定する。第２のものは、ＭＦＭ４４内の開口部５２、５３の垂直方向の寸法であり、水平方向の寸法は５．５ｍｍに保ち、間隔４６は１．５ｍｍに保つ。これらのパラメータの所定の選択において、開口部付き平板４０、４３内の開口部は、主フォーカス部２１が要求を十分満たすように計算される。これらの要求は、例えば、フォーカス（集束）条件及び収差レベルが、中心ビームとサイドビームについてほぼ等しいことである。この結果をそれぞれ、表１及び表２に示し、所定のレンズ径Ｄｍ，ｘ及びＤｓａ，ｘは水平方向のみについてのものである、というのは、垂直方向はスポット性能にとってそれほど重要ではないからである。
【００３６】
【表１】
2004515047.tif 000003
【００３７】
【表２】
2004515047.tif 000004
【００３８】
これらの表は、間隔ｓ４６または開口部５２、５３の寸法を変化させることによって、これらの両変化について、一方では、倍率についての有効レンズ径をほぼ７ｍｍの一定値に保ち、他方では、球面収差についての有効レンズ径を約８％だけ改善するをもたらす、主フォーカス部２１の設計を可能にすることを示している。従って、間隔ｓを１．５ｍｍから０．７ｍｍに低減することによって、球面収差の意味で８％の改善が行われ、これにより、開口部５２、５３の垂直寸法を５．０ｍｍから３．５ｍｍに低減することができる。表１及び表２に示す結果を、それぞれ図７及び図８にグラフで示す。
【００３９】
この例は、主フォーカス部２１及びＭＦＭ４４を総合的に設計することによって、電子銃１０の長さを一定にして、即ち倍率についての有効レンズ径を一定にして、スポット性能を改善した、即ち球面収差についての有効レンズ径をより大きくした電子銃１０ができる。もちろんこの現象は、倍率についての有効レンズ径を同じにしてより短い電子銃を得ることにも応用することができ、この状況では、フォーカス電圧がより低くなり、主フォーカス部２１のフォーカス（集束）作用がより強力になる。
【００４０】
本発明は、主フォーカス部２１とＭＦＭ４４を組み合わせて総合的に設計することによって、カラー表示管１のスポット性能を改善する一般的な方法を表わすものである。本発明は以上に挙げた例に限定されない。本発明は、欧州特許ＥＰ−Ｂ−０７２５９７２に開示されている市販の主レンズのような、他のすべての種類の主レンズ系にも適用可能である。
【００４１】
以上をまとめて、本明細書には、表示管１に使用する電子銃１０の製造方法を記載している。電子銃１０に、アノード電極２１ａと心出しカップ２３との間に位置する追加的電極４４を設ける。この追加的電極４４は電子銃１０のビード加工したユニット２９の一部であり、このことは、この追加的電極４４を、主フォーカス部２１までの距離並びに回転角に関して正確に位置決めすることを可能にする。この追加的電極４４を主フォーカス部２１の必須の部分と考えれば、上記のことにより、この追加的電極４４を用いて主フォーカス部２１の品質を改善することが可能になる。この理由により、この追加的電極を主レンズフィールド（視野）修正器（ＭＦＭ）４４と称する。
【００４２】
本明細書では、ＭＦＭ４４の開口部５２、５３の垂直寸法、あるいはＭＦＭ４４と主フォーカス部２１との間隔を変化させることによって、球面収差についての有効レンズ径を増加させつつ、倍率についての有効レンズ径を一定に保つことが可能であることを示している。換言すれば、電子銃１０の長さを変えずに、電子銃１０のスポット性能を改善する。主フォーカス部２１に必要な精度を、良好な公差及び挙動と共に得るという観点では、この新規の、電子銃１０の製造方法は非常に重要なものである。
【図面の簡単な説明】
【図１】カラー表示管の断面図である。
【図２】従来技術の電子銃の、図式的な、半透明の分解立体図である。
【図３Ａ】従来技術による電子銃の側面図である。
【図３Ｂ】従来技術による電子銃の上面図である。
【図４Ａ】本発明による電子銃の側面図である。
【図４Ｂ】本発明による電子銃の上面図である。
【図５】本発明による電子銃の詳細な側面図である。
【図６Ａ】主集束部用の電極の透視図である。
【図６Ｂ】追加電極用の電極の透視図である。
【図７】有効レンズ系を、追加電極とアノード電極との間隔の関数として表わしたグラフである。
【図８】有効レンズ系を、追加電極の垂直開口寸法の関数として表わしたグラフである。
【図７】
2004515047.tif 000005
【図８】
2004515047.tif 000006
【国際公開パンフレット】
2004515047.tif 000007
2004515047.tif 000008
2004515047.tif 000009
2004515047.tif 000010
2004515047.tif 000011
2004515047.tif 000012
2004515047.tif 000013
2004515047.tif 000014
2004515047.tif 000015
2004515047.tif 000016
2004515047.tif 000017
2004515047.tif 000018
2004515047.tif 000019
2004515047.tif 000020
2004515047.tif 000021
2004515047.tif 000022
2004515047.tif 000023
2004515047.tif 000024
2004515047.tif 000025
【国際調査報告】
2004515047.tif 000026
2004515047.tif 000027